(57)【要約】【課題】配線材とコネクタの接続部分にウイスカが発生しても短絡することがなく、さらに、コンタクトピン間の間隔が狭くても信頼性の高いコネクタを提供する。【解決手段】フラット配線材２０の接続部を収容する開口部１６をハウジング１０に設け、ハウジング１０に、接続端子２１と弾性力によって接触する複数のコンタクトピン３０を所定のピッチで配置し、開口部１６の、隣接する各コンタクトピン３０のフラット配線材２０と接触する部分に挟まれる位置に、フラット配線材２０の接続端子間の部分と弾性力によって接触する隔壁ピン４０を設けた。【選択図】図３
2008192464.tif 000002
【特許請求の範囲】
【請求項１】
フラット配線材の接続部を収容する開口部を備えたハウジングと、
前記ハウジング内に配置され、前記接続部分の接続端子と接触する複数のコンタクトピンと、
各コンタクトピンの間に配置されて前記フラット配線材の前記接続端子間の部分に接触する隔壁ピンと、
を有することを特徴とするコネクタ。
【請求項２】
前記隔壁ピンは、前記フラット配線材に接触する隔壁と、
一端側が前記ハウジングに固定され、他端側が前記隔壁に接続する弾性変形可能な支持部と、
により構成されることを特徴とする請求項１に記載のコネクタ。
【請求項３】
前記隔壁の高さが、前記コンタクトピンのうち前記フラット配線材との接触部分の高さよりも高いことを特徴とする、請求項２又は請求項３に記載のコネクタ。
【請求項４】
前記複数のコンタクトピンは、前記フラット配線材の接続端子と弾性力によって接触し、前記隔壁ピンは、前記フラット配線材の前記接続端子間の部分に弾性力によって接触し、前記隔壁ピンの弾力性が、前記コンタクトピンの弾力性よりも弱いことを特徴とする請求項１乃至請求項３のいずれか１項に記載のコネクタ。
【請求項５】
更に、前記フラット配線材を前記コンタクトピン及び前記隔壁ピンに向けて押圧する、押圧部材を有することを特徴とする請求項１乃至請求項４のいずれか１項に記載のコネクタ。
【発明の詳細な説明】
【技術分野】
【０００１】
本発明は、コネクタに関し、さらに詳しくは、配線材とコネクタの接続部分にウイスカが発生しても短絡することのないコネクタに関する。
【背景技術】
【０００２】
通常、半導体装置（ＩＣ）等の実装された基板同士、又は基板と入出力装置（キーボード又は液晶パネル等）等との間は、コネクタと配線材（ケーブル）とを用いて電気的に接続している。
【０００３】
コネクタには、ＺＩＦ（Zero Insertion Force：無挿抜力）コネクタ（特許文献１、特許文献２、特許文献３、特許文献４）やｎｏｎ−ＺＩＦタイプのコネクタ（特許文献５）等があり、配線材にはＦＰＣ（Flexible Printed Circuit：フレキシブルプリント基板）やＦＦＣ（Flexible Flat Cable：フレキシブルフラットケーブル）等がある。
【０００４】
一般にコネクタの導電部であるコンタクトピンや配線材の接続端子は銅系の材料が用いられるので、酸化による接触不良を防止するために銅の表面処理が行われる。表面処理には、例えば、スズ鉛合金、純スズ又はスズ系合金によるめっきがある。
【０００５】
純スズ及びスズ系合金は、その表面にできるスズの酸化皮膜が銅の酸化物に比べて機械的に破壊されやすく、表面を引っかくことにより酸化皮膜を容易に破壊することができる。これらの金属をコンタクトピンや接続端子にめっきすると、配線材の挿抜により接点に新鮮な表面が現れ、コネクタと配線材との間の接触抵抗が低くなる。さらに、これらの金属は安価であり、コンタクトピン等のめっき材として広く利用されている。しかしながら、純スズ又はスズ系合金をめっきしたコンタクトピンや接続端子では、応力のかかる接点部分からウイスカと呼ばれる細長い髭状の単結晶が形成されることが知られている。
【０００６】
このウイスカの発生はコネクタの信頼性に影響を及ぼす。特にＦＰＣやＦＦＣ用コネクタはコンタクトピンのピッチが狭く、隣接するコンタクトピンの間には何の障害物も無いため、ウイスカが発生すると、隣接するコンタクトピン間で容易に短絡が発生する。このため純スズ又はスズ系合金をコンタクトピンや接続端子にめっきした場合にはコネクタの信頼性低下が問題となる。
【０００７】
一方、スズ鉛合金はウイスカが発生しないことが知られているが、近年の電子機器の環境対応により用いられなくなっている。そこで鉛を用いないウイスカ対策として、以下の技術が開示されている。
【０００８】
表面処理によってウイスカの発生自体を防止する技術が特許文献６、及び特許文献７に開示されている。
【０００９】
また、接続端子間のピッチを増大させることによりウイスカによる短絡発生を抑えるコネクタが特許文献８に開示されている。
【００１０】
さらに、隣接する電源端子間に障害物を設けることによりウイスカの成長を阻止して短絡を防止するコネクタが特許文献９に開示されている。ウイスカの太さは１μｍ程度と極めて細いので、ウイスカによる短絡を確実に防止するには、障害物と配線材とを密着させる必要がある。特許文献９のコネクタは、２本の電源端子間に障害物として絶縁性の突起を配置し、この突起に圧力を加えて突起の先端を配線材に密着させることにより、ウイスカによる短絡を防止する。
【特許文献１】実開平６−２９０６３号公報
【特許文献２】特開２０００−１３３３９２号公報
【特許文献３】特開平１１−３２９６２９号公報
【特許文献４】特開２００２−１９８１１２号公報
【特許文献５】特開平９−２３７６６３号公報
【特許文献６】特開２００５−３０２５７５号公報
【特許文献７】特開２００６−１８３０６８号公報
【特許文献８】特開２００６−１７９４０８号公報
【特許文献９】特開２００６−１６４７９８号公報
【発明の開示】
【発明が解決しようとする課題】
【００１１】
しかし、一般的なＦＰＣ又はＦＦＣ用のコネクタでは、接点間に何ら障害物が無いため、ウイスカによる短絡の発生を確実に阻止することはできない。特許文献８のように接続端子間のピッチを大きくすることも考えられるが、その場合はコネクタの実装面積が大きくなるという問題がある。
【００１２】
特許文献９に開示されたコネクタは突起を配線材に密着させる機構が複雑であり、コンタクトピン間の間隔が、例えば、0.5mm〜1.0mmと微細なＦＰＣ又はＦＦＣ用のコネクタに適用することが困難である。
【００１３】
本発明の目的は、配線材とコネクタの接続部分にウイスカが発生しても短絡することがなく、さらに、コンタクトピン間の間隔が狭くても信頼性の高いコネクタを提供することである。
【課題を解決するための手段】
【００１４】
上記の従来技術の課題を解決するために、本発明は、フラット配線材の接続部を収容する開口部を備えたハウジングと、前記ハウジング内に配置され、前記接続部分の接続端子と弾性力によって接触する複数のコンタクトピンと、各コンタクトピンの間に配置されて前記フラット配線材の前記接続端子間の部分に弾性力によって接触する隔壁ピンと、を有することを特徴とするコネクタを提供する。
【００１５】
本発明の配線材用コネクタによれば、ウイスカ発生の可能性の高いコンタクトピンの接点の間に隔壁ピンが配置されているため、短絡発生の可能性を極めて低くすることができる。これにより、よりピッチの狭いコネクタにも適用することができる。また、隔壁ピンが弾性力によって配線材に押し付けられるため、配線材と隔壁ピンとが密着する。従って、配線材の表面に沿って成長したウイスカによる短絡発生をも阻止することができる。さらに、本発明の隔壁ピンは隔壁ピン自体の弾性力によって配線材と密着している。このため、フラット配線材の厚さに多少のばらつきがある場合でも、密着を確保することができる。また、隔壁ピンを配線材に密着させる手段は、従来のコンタクトピンのみのコネクタと同様の手段で済み、多様な種類のコネクタに適用することができる。
【００１６】
本発明の前記隔壁ピンは、前記フラット配線材に接触する隔壁と、一端側が前記ハウジングに固定され、他端側が前記隔壁に接続する弾性変形可能な支持部とにより構成することができる。
【００１７】
このような構成により、隔壁ピンを弾性変形可能とすることができ、隔壁ピンを配線材に密着させることによりウイスカによる短絡発生を阻止することができる。
【００１８】
また、本発明の前記隔壁ピンの弾性力は、前記コンタクトピンの弾性力よりも弱くすることが望ましい。これにより、隔壁ピンがコンタクトピンの接触の妨げにならず、安定した接触を確保することができる。
【００１９】
さらに、本発明は、フラット配線材の接続部分を収容する開口部を備えたハウジングと、前記ハウジング内に配置され、前記接続部分の接続端子と弾性力によって接触する複数のコンタクトピンと、各コンタクトピンの間に配置されて前記フラット配線材の前記接続端子間の部分に弾性力によって接触する隔壁ピンと、前記フラット配線材を前記コンタクトピン及び前記隔壁ピンに向けて押圧する押圧部材を有することを特徴とするコネクタを提供する。
【００２０】
この形態によれば、いわゆるＺＩＦタイプのコネクタにも、配線材とコネクタの接続部分にウイスカが発生しても短絡することのないコネクタを提供することができる。
【発明を実施するための最良の形態】
【００２１】
以下、本発明の実施形態について、添付の図面を参照して説明する。
【００２２】
（第１の実施の形態）
本発明の第１実施形態は、スライダによりフレキシブル配線材をコンタクトピンに押し付けるタイプのＺＩＦコネクタに、可動な隔壁を適用したものである。
【００２３】
図１は本発明の第１実施形態のコネクタの組み立て前の外観を示す斜視図である。図２は第１実施形態のコネクタの組み立て前におけるハウジングをコンタクトピン挿入口側からみた斜視図である。図３はハウジング１０の開口部を接点側から見た拡大図である。図４は本発明の第１実施形態のコネクタの上面図である。図５（ａ）は配線材未接続時における図４のＡ−Ａ線上の断面図であり、図５（ｂ）は配線材未接続時における図４のＢ−Ｂ線上の断面図である。図６（ａ）は配線材接続時における図４のＡ−Ａ線上の断面図である。図６（ｂ）は配線材接続時における図４のＢ−Ｂ断面図である。
【００２４】
図１に示すように本実施形態のコネクタはスライダ１２、ハウジング１０、及びコンタクトピン３０により構成される。
【００２５】
図１に示すようにスライダ１２には底面板１３、挿入口１４、及び固定部材１５が設けられている。挿入口１４はスライダ１２の前面から裏面に、貫通している。また、挿入口１４は、ＦＦＣ２０より若干大きく形成されており、ＦＦＣ２０を抵抗無く通すことができる。底面板１３はスライダ１２の下から伸びる板であり、ＦＦＣ２０の幅と概略同じ幅で形成されている。この底面板１３はＦＦＣ２０接続時にＦＦＣ２０をコンタクトピンと接触させるために使用する。固定部材１５はスライダ１２の両側部に伸び、その先端部にはハウジング１０の突起に係止する爪が設けられている。
【００２６】
図１、図２に示すようにハウジング１０の内部には、ＦＦＣ２０の先端部を収納する開口部１６が設けられている。この開口部１６は、ＦＦＣ２０の幅よりわずかに広い幅で形成されている。また、ハウジング１０の後部には複数のコンタクトピン挿入口１１ａが所定のピッチ（例えば0．5mm〜1.0mm）で設けられている。案内溝１１ｂ、１１ｃは図１から図３に示すようにコンタクトピン挿入口１１ａから前面にかけて伸びるように形成されている。案内溝１１ｂは開口部１６の上側の溝であり、案内溝１１ｃは下側の溝である。
【００２７】
コンタクトピン３０は図５（ａ）に示すように、基板接続端子部３３と、基板接続端子部３３から湾曲して伸びる接点側アーム３２と、接点側アーム３２の端部に設けられた接点部３１と、接点側アーム３２に向き合って直線状に伸びる土台側アーム３４と、土台側アーム３４上に間隔を置いて設けられたランス（引っ掛け）３５とから構成される。土台側アーム３４は底面側の案内溝１１ｃに沿って挿入される。ランス３５部分はハウジング１０内に嵌り込んで、コンタクトピン３０を固定する。一方、接点側アーム３２は図５（ａ）に示すように上面側の案内溝１１ｂ内に挿入される。接点側アーム３２は図５（ａ）の上下方向に撓むことができるように、ハウジング１０の内壁との間に空間を隔てて配置されている。また、接点部３１は案内溝１１ａよりも下に突き出るように配置される。基板接続端子部３３は、図１及び図４に示すように、組み立てられた状態でハウジング１０の後方から突き出ている部材である。本実施形態のコネクタは、この基板接続端子部３３をプリント基板（図示せず）の端子に半田付けして接続される。
【００２８】
コンタクトピン３０は金属製であり、公知のプレス加工により製作される。コンタクトピンの材質としては、バネ性や導電性に優れる材料が望ましく、例えばリン青銅、黄銅、ベリリウム銅等を用いることができる。本実施形態においては、コンタクトピンの表面に純スズ、又はスズ系合金のめっきが施されているものとする。
【００２９】
図３に示すように、開口部１６の上面には、隣接するコンタクトピン３０の間に複数の隔壁ピン４０が設けられている。隔壁ピン４０は、上側の案内溝１１ｂの壁の部分の下側に設けられ、その奥側の一端においてハウジング１０に固定されている。隔壁ピン４０は、開口部１６の上側の面と空間を隔てるように配置されているため、図３の上下方向に弾性変形することができる。
【００３０】
隔壁ピン４０は、隔壁４０ｃが隣接するコンタクトピン３０の接点部３１の間に位置するように形成されている。隔壁ピン４０の入り口側にある偏平な部分は隔壁４０ｃであり、他の部分に比べて、図３の上下方向に広がった偏平な形状となっている。隔壁４０ｃは前後方向に伸びており、その長さは少なくともコンタクトピン３０の接点部３１より長くなるように形成されている。隔壁ピン４０の端面は、ＦＦＣ２０を挿入するときに引っかからないように、ＦＦＣ２０の挿入方向から傾斜した面及び曲面で形成されている。
【００３１】
接触面４０ａは隔壁ピン４０の偏平部分の下部に形成されている平面である。接触面４０ａはコンタクトピン３０の接点部分３１より長くなるように形成されている。また、接触面４０ａの幅は、ＦＦＣ２０の絶縁部分のみと接触するように、ＦＦＣ２０の接続端子間の絶縁部分の幅よりも狭く形成されている。弾性支持部材４０ｂは隔壁４０ｃと奥側の端部との間の部材である。図３では弾性支持部材４０ｂが隔壁４０ｃと比較して細くなるように形成されているが、必要な弾性力に応じた形状を適宜選択することができる。隔壁ピン４０は接触面４０ａ部分が接点部分３１よりも下に位置するように配置される。これにより、隔壁ピン４０はＦＦＣ２０と確実に接触することができる。隔壁ピン４０の弾性力は、コンタクトピン３０が接続端子２１と確実に接続できるように、コンタクトピン３０の弾性力よりも弱くすることが望ましい。
【００３２】
ハウジング１０、案内溝１１ａ、１１ｂ、及び隔壁ピン４０は公知の射出成型によって作製される。また、スライダ１２も同様に射出成型によって作製される。ハウジング１０及びスライダ１２の材質は電気絶縁性のプラスチック材料であり、寸法安定性、加工性、コスト等を考慮して公知の材料から適宜選択することができる。例えば、ポリフェニレンサルファイド（ＰＰＳ）、ポリブチレンテレフタレート（ＰＢＴ）、ポリアミド（６６ＰＡ、４６ＰＡ）、液晶ポリマー（ＬＣＰ）、ポリカーボネート（ＰＣ）、又はこれらの合成材料等を使用することができる。
【００３３】
以下、上述した構成の本実施形態のコネクタとＦＦＣ２０とを接続するときの動作について説明する。
【００３４】
図５（ａ）、（ｂ）に示すように、ハウジング１０の開口部１６へのＦＦＣ２０の挿入はスライダ１２を引き出した状態で行う。ＦＦＣ２０は挿入口１４を通してハウジング１０の開口部１６に挿入される。このとき、開口部１６の下面と接点部３１との間隔はＦＦＣ２０の厚さより広いため、挿入時には力はかからない。ＦＦＣ２０の水平面内の位置はスライダ１２の挿入口１４及びコネクタハウジング１０の開口部１６によって位置決めされる。
【００３５】
次に、図６（ａ）、（ｂ）のように、ＦＦＣ２０の下側にスライダ１２の底面板１３が挿入される。これにより、図６（ａ）に示すようにＦＦＣ２０が上方に押し上げられて、コンタクトピン３０の接点部３１が、ＦＦＣ２０の接続端子２１と接触する。このとき、コンタクトピン３０はＦＦＣ２０によって上方向に押されて弾性変形する。このようにして、コンタクトピン３０とＦＦＣ２０とが電気的に接続される。一方、図６（ｂ）に示すように隔壁４０ｃはＦＦＣ２０の接続端子２１間の絶縁部分に接触する。この隔壁ピン４０も、底面板１３の挿入でＦＦＣ２０により押し上げられ、ハウジング１０の上面方向に弾性変形する。このようにして隔壁４０ｃとＦＦＣ２０の絶縁部分とが密着する。
【００３６】
尚、本実施形態において、配線材としてＦＦＣを用いる例を説明したが、本実施形態のコネクタはＦＰＣの接続にも用いることができる。
【００３７】
本実施形態のコネクタによれば、隔壁ピン４０がハウジング１０内に上下方向に弾性変形可能な状態で配置されているため、ＦＦＣ２０の接続端子２１とコンタクトピン３０とを接続するときに、隔壁４０ａがＦＦＣ２０と密着する。また、フラット配線材の厚さに多少のばらつきがある場合でも、隔壁ピン４０の弾性によりこれを吸収することができ、隔壁と配線材との密着を確保することができる。これにより、接点部３１にウイスカが発生しても、短絡が発生する可能性を極めて低くすることができる。そして、隔壁４０ｃ及び接面部４０ａがコンタクトピン３０の接点部３１より長く形成されているので、斜めに成長したウイスカや、ＦＦＣ２０の表面近傍に成長したウイスカによる短絡の発生も防止することができ、コネクタの信頼性を向上することができる。また、隔壁ピン４０がコンタクトピン３０と同様に弾性変形するため、隔壁ピン４０を配線材に密着させる手段は、コンタクトピン３０のみのコネクタと同様でよく、特別な押圧部材を必要としない。さらに、コンタクトピン３０に加え隔壁ピン４０が配線材と接触するので配線材が抜けにくくなる。また、本実施形態のコネクタは構造が比較的簡単であり、コンタクトピン間の間隔が狭いものにも適用することができる。
【００３８】
（第２の実施の形態）
図７から図１０は、本発明の第２実施形態に係るコネクタを示す。第２実施形態のコネクタは、アクチュエータを用いるＺＩＦタイプのコネクタに、可動な隔壁を適用したものである。
【００３９】
図７は本発明の第２実施形態に係るコネクタの組み立て前の状態を示す斜視図である。図８は本発明の第２実施形態に係るコネクタを中央で切断した部分を示す斜視図である。図９（ａ）は本発明の第２実施形態に係るコネクタのコンタクトピンを示す図であり、図９（ｂ）は本発明の第２実施形態に係るコネクタの隔壁ピンを示す図である。図１０は本発明の第２実施形態のコネクタをアクチュエータ固定時に隔壁ピン部分で切断した断面図である。
【００４０】
図７、図８は、端子部分の内部が分かるようにコネクタの中央を切断したものである。図７に示すように、第２実施形態に係るコネクタは、ハウジング５０、アクチュエータ５１、取り付け具５２、コンタクトピン５７、及び隔壁ピン６４により構成される。
【００４１】
ハウジング５０には、開口部と、案内溝５３と、アクチュエータ案内溝５５とが設けられている。案内溝５３は一定のピッチでハウジング５０の開口部の上下に設けられ、図８に示すように後述するコンタクトピン５７と隔壁ピン６４とを収納する。アクチュエータ案内溝５５はハウジング５０の両側部に設けられており、ハウジング５０の側方の部材を貫通するように形成されている。このアクチュエータ案内溝５５には、後述するアクチュエータ５１のガイドピン５４が嵌り、アクチュエータ５１の動きを図８に示す矢印の回転方向に規制する。取り付け具５２は、図示しない基板にコネクタを固定するために使用する。
【００４２】
アクチュエータ５１には、ガイドピン５４と底面板５６とが設けられている。ガイドピン５４はアクチュエータ５１の両側部に設けられた突起状の部材であり、ハウジング５０のアクチュエータ案内溝５５に嵌められる。底面板５６は図７、図８に示すようにアクチュエータ５１の一端に伸びる楔状の部材である。アクチュエータ５１は図８のように垂直に立った状態から、図１０のように水平に寝た状態まで約９０度回転することができる。底面板５６は、アクチュエータ５１が水平に寝た状態では、図１０に示すように隔壁ピン６４（又はコンタクトピン５７）の２本のアーム間に挿入される。
【００４３】
図９（ａ）に示すようにコンタクトピン５７は対向する２本のアームを備え、接点側アーム５９の端部に接点部５８が設けられている。コンタクトピン５７の構成は第１実施形態のコンタクトピン３０と同様であり、同様な材料、製法を適用することができる。
【００４４】
隔壁ピン６４は図９（ｂ）に示すように付け根部分から伸びる２本のアームを供え、隔壁側アーム６７の一端には隔壁６５が設けられている。図８に示すように、隔壁ピン６４の一部はハウジング５０よりも後方にはみ出ているが、本実施形態の隔壁ピンの形状はこれに限られるものではなく、隔壁ピン６４の形状をハウジング５０の後方にはみ出さないものとしても良い。隔壁６５の形状は、図９（ｂ）に示すように隔壁側アーム６７に比べて上下方向に広がった偏平な形状となっている。隔壁６５は前後方向に伸びており、その長さは少なくともコンタクトピン５７の接点部５８より長くなるように形成されている。隔壁５６の位置は、組み立てられたときに、隣接するコンタクトピン５７の接点部５８間を遮る位置に配置されるように設けられている。本実施形態の隔壁ピン６４の材質は絶縁性があればよい。例えば、ハウジング等に用いられるプラスチック類を射出成型したものでもよいし、金属材料に絶縁性の材料をコーティングしたものでも良い。
【００４５】
図８に示すように隣接するコンタクトピン５７の間に隔壁ピン６４が配置されるよう、交互に配置され、ハウジング５０の後方にある図示しないピン挿入口から各ピンを案内溝５３に沿って挿入組み立てられる。
【００４６】
図１０は本発明の第２実施形態のコネクタをアクチュエータ固定時に隔壁ピンで切断した断面図である。
【００４７】
使用時は、まず、図８に示すようにアクチュエータ５４を立てた状態でＦＦＣやＦＰＣなどの配線材の端部を開口部に挿入する。この状態では、ハウジング５０の開口部の上面と接点部５８の間隔が、配線材の厚さよりも大きいため配線材は抵抗無く挿入することができる。次に、図１０に示すようにアクチュエータ５１を水平方向に倒すと、アクチュエータ５１の底面板５６が、配線材の上部に挿入される。これにより、隔壁ピン６４の隔壁側アーム６７が弾性変形しながら隔壁６５が配線材の接続端子間の絶縁部分に密着する。同様にコンタクトピン５７の接点側アーム５９が弾性変形し、接点部５８と配線材の接続端子が接触する。
【００４８】
本実施形態のコネクタによれば、コンタクトピンと隔壁ピンが交互に配置され、隔壁が配線材の接続端子間の絶縁部分に密着している。さらに、第１実施形態のコネクタと同様に、隔壁ピンに弾性があるため、フラット配線材の厚さに多少のばらつきがある場合でも、隔壁ピンの弾性によりこれを吸収することができ、隔壁と配線材との密着を確保することができる。これにより、ウイスカが発生しても、隔壁に遮られ隣接する接続端子間で短絡の発生する可能性が極めて低くなり、コネクタの信頼性を向上することができる。また、本実施形態のコネクタにおいても、構造が比較的簡単であり、コンタクトピン間の間隔が狭いものにも適用することができる。
【００４９】
（第３の実施の形態）
図１１、図１２は、本発明の第３実施形態に係るコネクタを示す。本実施形態のコネクタはコンタクトピンと隔壁ピンを交互に配置する点で第２実施形態のコネクタと同様であるが、アクチュエータによる押圧の方法において異なる。
【００５０】
図１１（ａ）は本発明の第３実施形態に係るコネクタを、アクチュエータ解放時において、コンタクトピン部分で切断したものを示す斜視図である。図１１（ｂ）は本発明の第３実施形態に係るコネクタをアクチュエータ固定時において、コンタクトピン部分で切断したものを示す斜視図である。
【００５１】
図１１（ａ）に示すように、第３実施形態に係るコネクタは、ハウジング７０、アクチュエータ７１、コンタクトピン７５、及び隔壁ピン８０から構成されている。ハウジング７０の前面側には配線材を収納する開口部が設けられ、ハウジング７０の後方にはアクチュエータ７１が取り付けられるようになっている。ハウジング７０の内部にはコンタクトピン７５及び隔壁ピン８０を収納する案内溝７３が所定のピッチで設けられている。ハウジングの下面部の後方にはコネクタを基板と接続するための接続端子７４が設けられている。この接続端子７４の半田付けによりハウジング７０が図示しない基板に取り付けられる。尚、本実施形態のハウジング７０にも、第１実施形態のハウジングと同様の材質、製法を適用することが出来る。
【００５２】
図１２（ａ）は本発明の第３実施形態のコネクタに用いられるコンタクトピンを示す斜視図である。図１２（ａ）に示すように本実施形態におけるコンタクトピン７５は対向する接点側アーム７７と土台側アーム７８とが支点部７９によって接続された概略Ｈ型をしている。接点側アーム７７の前方の一端には、配線材と接続する接点部７６が設けられている。接点側アーム７７は、その後方の端の部分に図１２（ａ）の上方向に力を加えることにより、支点部７９を支点として矢印Ｂの方向に弾性変形することができる。本実施形態のコンタクトピン７５には第１実施形態のコンタクトピンと同様の材質、製法を適用することができる。
【００５３】
図１２（ｂ）は本発明の第３実施形態のコネクタに用いられる隔壁ピンを示す斜視図である。隔壁ピン８０は、コンタクトピン７７と同様に、概略Ｈ型の形状をしており、隔壁側アーム８２と、土台側アーム８３とが支点部８４で接続されている。隔壁ピン８０の前側の一端には、隔壁８１が設けられている。本実施形態における隔壁８１は、その形状は、図１２（ｂ）に示すように隔壁側アームに比べて上下方向に広がった形で、少なくともコンタクトピン７５の接点部７６より長くなるように前後方向に伸びた形状をしている。また、隔壁８１の位置は、組み立てられたときに、隣接するコンタクトピン７５の接点部７６間を遮る位置に配置されるように設けられている。隔壁ピンの後方の端部付近を図１２（ｂ）の上方向に力を加えると、コンタクトピンと同様に矢印Ｃの方向に弾性変形することができる。本実施形態の隔壁ピン８０には、第２実施形態の隔壁ピン６４と同様の材質、製法を適用することができる。
【００５４】
コンタクトピン７５と隔壁ピン８０は、交互に配置されるようにハウジング７０の案内溝７３に収納される。
【００５５】
アクチュエータ７１には、コンタクトピン７５及び隔壁ピン８０の後ろ側の端部が貫通する複数の孔が設けられ、その孔にはコンタクトピン７５及び隔壁ピン８０の端部を図１２（ａ）、図１２（ｂ）の上方向に力を加えることができる加圧突起７２が設けられている。アクチュエータ７１は図示しない軸により図１１ａの矢印Ａの方向に約９０度回転可能に取り付けられている。図１１（ａ）に示すように、アクチュエータ７１を立てた状態では、加圧突起７２は倒れ、アクチュエータ７１を倒した上体では図１１ｂに示すように、加圧突起７２が立つように形成されている。
【００５６】
配線材の端部を挿入するときはアクチュエータ７１を立てた状態で行う。配線材挿入後、アクチュエータ７１を倒すと、図１１（ｂ）に示すように加圧突起７２によってコンタクトピン７５及び隔壁ピン８０が弾性変形する。接点部７６は配線材の接続端子部分と接触し、隔壁８１は接続端子間の絶縁部分に密着する。
【００５７】
本実施形態によるコネクタは、第２実施形態のコネクタと同様に作用するため、ウイスカ発生による短絡発生の可能性を極めて低くすることができ、コネクタの信頼性向上を図ることができる。
【００５８】
（第４の実施の形態）
図１３から図１５までは本発明の第４実施形態に係るコネクタを示す。本発明の第４実施形態に係るコネクタは、コンタクトピンのバネ弾性のみで配線材と接触する圧力を確保するｎｏｎ−ＺＩＦタイプのコネクタに可動な隔壁を適用したものである。
【００５９】
図１３は本発明の第４実施形態に係るコネクタの外観を示す斜視図である。図１４は本発明の第４実施形態に係る第１のコネクタの開口部をコンタクトピン方向から見た拡大図である。
【００６０】
図１３に示すように、本実施形態の第１のコネクタは、主にハウジング９０とコンタクトピン９２から構成されている。
【００６１】
コンタクトピン９２は、ハウジング９０内に設けられた案内溝９３に沿って挿入されている。コンタクトピン９２は、金属板を曲げ加工して作製され、図１４に示すようにその前面側の一端において折り返されているため図１４の上下方向に弾性変形することができる。コンタクトピン９２は、開口部の上面との間隔が配線材の厚さよりも狭くなるように配置されている。このような配置により、配線材の先端を挿入するときにコンタクトピン９２が弾性変形し、コンタクトピン９２自体の弾性力によって配線材の接続端子との接触が確保される。本実施形態のコンタクトピンは図１４に示した形状に限定されるものではなく、例えば、配線材を上下両面から弾性力によって挟む形態のコンタクトピンにも適用することが出来る。即ち、コンタクトピン自体で配線材と接触する圧力を発生させ、配線材を保持することができるものに対して適用することができる。また、本実施形態のコンタクトピンにも第１実施形態のコンタクトピンと同様の材質を適用することができる。
【００６２】
ハウジング９０の内部には前面から伸びる開口部９１と、案内溝９３と、隔壁ピン９４が設けられている。案内溝９２はコネクタハウジング９０の後部にある図示しないコンタクトピン挿入口から前面側に伸びている。図１３においては案内溝９３が開口部９１の下側にのみ形成されているが、本実施形態のコネクタの案内溝の位置はこれに限定されるものではなく、コンタクトピンの形状に応じて、開口部９１の上下両面に設けた構成としても良い。図１４に示すように、ハウジング９０の開口部９１には、コンタクトピン９１の隣接する接点を遮る位置に、隔壁ピン９４が設けられている。隔壁ピン９４は案内溝９３の間の壁を前面側の一部で高くなるように形成し、壁の下部に切込みを入れた形状として形成されている。その切込みによって、配線材挿入時に隔壁ピン９４は図１４の上下方向に弾性変形することができる。この弾性力によって隔壁ピン９４は、配線材の接続端子間の絶縁部分に密着することができる。本実施形態のハウジングには、第１実施形態のハウジングと同様の材質、製法を適用することが出来る。
【００６３】
本実施形態の第１のコネクタによれば、隣接コンタクトピン間又は接続端子間に、隔壁が密着するので、ウイスカが発生しても、隣接コンタクトピン間又は接続端子間で短絡が発生する可能性を極めて低くすることができる。さらに、第１実施形態のコネクタと同様に、隔壁ピン９４に弾性があるため、フラット配線材の厚さに多少のばらつきがある場合でも、隔壁ピン９４の弾性によりこれを吸収することができ、隔壁と配線材との密着を確保することができる。これにより配線材とコネクタの接続部分にウイスカが発生しても短絡することがなく、コネクタの信頼性が向上する。また、本実施形態のコネクタも構造が比較的簡単であり、コンタクトピン間の間隔が狭いものにも適用することができる。
【００６４】
図１５は本発明第４実施形態の第２のコネクタを示す図である。本実施形態の第２のコネクタは、隔壁以外の部分は第４実施形態の第１のコネクタと同様である。第２のコネクタには、案内溝９３間の壁から形成された隔壁に代えて、ハウジング９０に隔壁ピン９５が設けられている点で第１のコネクタと相違する。隔壁ピン９５は図１５に示すように、第１実施形態の隔壁ピンと同様な形状であり、その作用も同じである。第２のコネクタのハウジング９０には第１実施形態のハウジングと同様な材質、製法を適用することが出来る。
【００６５】
第２実施形態の第２のコネクタによっても、隣接コンタクトピン間又は接続端子間に、隔壁が密着する。さらに、第１実施形態のコネクタと同様に、隔壁ピンに弾性があるため、フラット配線材の厚さに多少のばらつきがある場合でも、隔壁ピンの弾性によりこれを吸収することができ、隔壁と配線材との密着を確保することができる。これにより、ウイスカが発生しても、隣接コンタクトピン間又は接続端子間で短絡が発生する可能性を極めて低くすることができ、コネクタの信頼性が向上する。
【００６６】
以下、本発明の諸態様を、付記としてまとめて記載する。
【００６７】
（付記１）フラット配線材の接続部を収容する開口部を備えたハウジングと、前記ハウジング内に固定されて前記フラット配線材の接続端子と接触する複数のコンタクトピンと、各コンタクトピンの間に配置されて前記フラット配線材の前記接続端子間の部分に接触する隔壁ピンと、を有することを特徴とするコネクタ。
【００６８】
（付記２）前記隔壁ピンは、前記フラット配線材に接触する隔壁と、一端側が前記ハウジングに固定され、他端側が前記隔壁に接続する弾性変形可能な支持部とにより構成されることを特徴とする付記１記載のコネクタ。
【００６９】
（付記３）前記隔壁が前記フラット配線材に接触する部分の長さが、前記コンタクトピンが前記フラット配線材と接触する部分の長さよりも長いことを特徴とする付記２に記載のコネクタ。
【００７０】
（付記４）前記隔壁の高さが、前記コンタクトピンのうち前記フラット配線材との接触部分の高さよりも高いことを特徴とする、付記２又は付記３に記載のコネクタ。
【００７１】
（付記５）前記複数のコンタクトピンは、前記フラット配線材の接続端子と弾性力によって接触し、前記隔壁ピンは、前記フラット配線材の前記接続端子間の部分に弾性力によって接触し、前記隔壁ピンの弾力性が、前記コンタクトピンの弾力性よりも弱いことを特徴とする付記１乃至付記４のいずれか１項に記載のコネクタ。
【００７２】
（付記６）更に、前記フラット配線材を前記コンタクトピン及び前記隔壁ピンに向けて押圧する、押圧部材を有することを特徴とする付記１乃至付記５のいずれか１項に記載のコネクタ。
【００７３】
（付記７）更に、前記コンタクトピン及び前記隔壁ピンを前記フラット配線材の厚さ方向に弾性変形させるアクチュエータを有することを特徴とする付記１乃至付記６のいずれか１項に記載のコネクタ。
【００７４】
（付記８）前記隔壁ピンは、前記フラット配線材の絶縁部のみに接触することを特徴とする付記１乃至付記７のいずれか１項に記載のコネクタ。
【図面の簡単な説明】
【００７５】
【図１】図１は本発明の第１実施形態のコネクタの組み立て前の外観を示す斜視図である。
【図２】図２は本発明の第１実施形態のコネクタの組み立て前におけるハウジングをコンタクトピン挿入口側から見た斜視図である。
【図３】図３は本発明の第１実施形態のコネクタのハウジングの開口部を接点側からみた拡大図である。
【図４】図４は本発明の第１実施形態のコネクタの上面図である。
【図５】図５（ａ）は配線未接続時の図４のＡ−Ａ線上の断面図である。図５（ｂ）は配線未接続時の図４のＢ−Ｂ線上の断面図である。
【図６】図６（ａ）は配線材接続時における図４のＡ−Ａ線上の断面図である。図６（ｂ）は配線材接続時における図４のＢ−Ｂ断面図である。
【図７】図７は本発明の第２実施形態に係るコネクタの組み立て前の状態を示す斜視図である。
【図８】図８は本発明の第２実施形態に係るコネクタを中央で切断した部分を示す斜視図である。
【図９】図９（ａ）は本発明の第２実施形態のコネクタのコンタクトピンを示す図である。図９（ｂ）は本発明の第２実施形態のコネクタの隔壁ピンを示す図である。
【図１０】図１０は本発明の第２実施形態のコネクタをアクチュエータ固定時に隔壁ピン部分で切断した断面図である。
【図１１】図１１（ａ）は本発明の第３実施形態のコネクタをアクチュエータ開放時において、コンタクトピン部分で切断したものを示す斜視図である。図１１（ｂ）は本発明の第３実施形態のコネクタを、アクチュエータ固定時において、コンタクトピンの部分で切断したものを示す斜視図である。
【図１２】図１２（ａ）は本発明の第３実施形態のコネクタに用いられるコンタクトピンを示す斜視図である。図１２（ｂ）は本発明の第３実施形態のコネクタに用いられる隔壁ピンを示す斜視図である。
【図１３】図１３は本発明の第４実施形態のコネクタの外観を示す斜視図である。
【図１４】図１４は本発明の第４実施形態の第１のコネクタの開口部をコンタクトピン方向から見た拡大図である。
【図１５】図１５は本発明の第４実施形態の第２のコネクタの開口部をコンタクトピン方向から見た拡大図である。
【符号の説明】
【００７６】
１０…ハウジング
１１ａ…コンタクトピン挿入口
１１ｂ…上側案内溝
１１ｃ…下側案内溝
１２…スライダ
１３…底面板
１４…挿入口
１５…固定部材
１６…開口部
２０…ＦＦＣ
２１…接続端子
３０…コンタクトピン
３１…接点部
３２…接点側アーム
３３…基板接続端子部
３４…土台側アーム
３５…ランス
４０…隔壁ピン
４０ａ…接触面
４０ｂ…弾性指示部材
４０ｃ…隔壁
５０…ハウジング
５１…アクチュエータ
５２…取り付け具
５３…案内溝
５４…ガイドピン
５５…アクチュエータ案内溝
５６…底面板
５７…コンタクトピン
５８…接点部
５９…接点側アーム
６４…隔壁ピン
６５…隔壁
６７…隔壁側アーム
７０…ハウジング
７１…アクチュエータ
７２…加圧突起
７３…案内溝
７５…コンタクトピン
７６…接点部
７７…接点側アーム
７８…土台側アーム
７９…支点部
８０…隔壁ピン
８１…隔壁
８２…隔壁側アーム
８３…土台側アーム
８４…支点部
９０…ハウジング
９１…開口部
９２…コンタクトピン
９３…案内溝
９４…隔壁ピン
９５…隔壁ピン
【図１】
2008192464.tif 000003
【図２】
2008192464.tif 000004
【図３】
2008192464.tif 000005
【図４】
2008192464.tif 000006
【図５】
2008192464.tif 000007
【図６】
2008192464.tif 000008
【図７】
2008192464.tif 000009
【図８】
2008192464.tif 000010
【図９】
2008192464.tif 000011
【図１０】
2008192464.tif 000012
【図１１】
2008192464.tif 000013
【図１２】
2008192464.tif 000014
【図１３】
2008192464.tif 000015
【図１４】
2008192464.tif 000016
【図１５】
2008192464.tif 000017